(57)【要約】【課題】クラブヘッドに取付安定性のよいクラブヘッドの軌跡記録用具を提供する。【解決手段】クラブヘッドのフェースＰＦに取り付けてゴルフクラブのスイング軌跡を記録紙（記録媒体）Ｐに記録するものであり、フェースＰＦを当接させるフェース当接面１２Ｃを有する保持具本体１２と、その保持具本体１２と連結され、フェースＰＦをフェース当接面１２Ｃに押し当てて保持するために保持具本体１２とピン型パターＰＰのクラブヘッドとの間に押当力を付与する水平押当ネジ（水平押当保持部）１６と、クラブヘッドを下方から支える２つの爪（支持部）１９Ａと、クラブヘッドを爪１９Ａに押し当てて保持する垂直押当ネジ（垂直押当保持部）１５Ａ，１５Ｂと、クラブヘッドの軌跡Ｌを記録紙Ｐに記録するボールペンホルダ（記録部）１４とを備える。【選択図】図１
2006204456.tif 000002
【特許請求の範囲】
【請求項１】
クラブヘッドのフェースに取り付けてゴルフクラブのスイング軌跡を記録媒体に記録するクラブヘッドの軌跡記録用具において、
前記フェースを当接させるフェース当接面を有する保持具本体と、
該保持具本体と連結され、前記フェースを前記フェース当接面に押し当てて保持するために前記保持具本体と前記クラブヘッドとの間に押当力を付与する水平押当保持部と、
前記クラブヘッドを下方から支える支持部と、
前記クラブヘッドを前記支持部に押し当てて保持する垂直押当保持部と、
前記クラブヘッドの軌跡を前記記録媒体に記録する記録部とを備えることを特徴とする、クラブヘッドの軌跡記録用具。
【請求項２】
前記ゴルフクラブがマレッド型パターであって、
前記水平押当保持部が、
前記クラブヘッドの背面に引掛ける引掛部と、
該引掛部を適切に前記背面に引掛けるために長さ調節をする調節部とを備えることを特  徴とする、請求項１に記載のクラブヘッドの軌跡記録用具。
【請求項３】
前記調節部がメカニカルファスナーを備えることを特徴とする、請求項２に記載のクラブヘッドの軌跡記録用具。
【請求項４】
前記調節部が長孔と該長孔にスライド自在にネジ止める調節ネジを備えることを特徴とする、請求項２に記載のクラブヘッドの軌跡記録用具。
【請求項５】
前記ゴルフクラブがピン型パターであって、
前記水平押当保持部が水平押当ネジであることを特徴とする、請求項１に記載のクラブヘッドの軌跡記録用具。
【請求項６】
前記ゴルフクラブがピン型パターであって、
前記水平押当保持部が弾性部材であることを特徴とする、請求項１に記載のクラブヘッドの軌跡記録用具。
【請求項７】
前記垂直押当保持部が垂直押当ネジであることを特徴とする、請求項１ないし６のいずれかに記載のクラブヘッドの軌跡記録用具。
【請求項８】
前記垂直押当ネジを複数備えるとともに、前記支持部が複数の爪からなることを特徴とする、請求項７に記載のクラブヘッドの軌跡記録用具。
【請求項９】
前記垂直押当保持部が弾性部材であることを特徴とする、請求項１ないし６のいずれかに記載のクラブヘッドの軌跡記録用具。
【請求項１０】
前記弾性部材が板バネであることを特徴とする、請求項９に記載のクラブヘッドの軌跡記録用具。
【請求項１１】
前記弾性部材がスポンジであることを特徴とする、請求項９に記載のクラブヘッドの軌跡記録用具。
【請求項１２】
前記記録部は前記ゴルフクラブのスイング方向に並設された２本のペンであることを特徴とする、請求項１ないし１１のいずれかの記載のクラブヘッドの軌跡記録用具。
【請求項１３】
前記２本のペンはそれぞれが異なるインクを有することを特徴とする、請求項１２に記載のクラブヘッドの軌跡記録用具。
【発明の詳細な説明】
【技術分野】
【０００１】
本発明は、クラブヘッドのフェースに取り付けてゴルフクラブのスイング軌跡を記録媒体に記録するクラブヘッドの軌跡記録用具に関する。
【背景技術】
【０００２】
従来のクラブヘッドの軌跡記録用具は例えば図１７に示すように、保持具本体１に水平押当保持部としての水平押当ネジ２を備えるとともに、垂直方向に記録部としてのボールペン３を収容部４に備える。そしてピン型パターのクラブヘッド５のフェース５Ａに保持具本体１の一部を当接させるとともに水平押当ネジ２を背面からネジつけ、クラブヘッド５を両側から挟むようにして取り付ける。
練習者がパットの練習をするときは、記録媒体としての記録紙６を床面上において、その上で不図示のグリップを握ってクラブヘッド５をスイングさせる。すると、練習者のパットの軌跡がボールペン３によって記録紙６に記録される。これによって、練習者は自己のパットの良否を判断することができ、パット技術の向上に寄与するものである（例えば特許文献１）。
また、マレット型パター７に対しては、図１８に示すように、平坦な保持具本体８を両面テープなどの接着材９を介して、マレット型パターのクラブヘッド７のフェースに取り付けて、上述と同様にしてパットの練習をすることができるものである（例えば特許文献１）。
【０００３】
【特許文献１】特開平１０−２３４９２１号公報
【発明の開示】
【発明が解決しようとする課題】
【０００４】
しかし、図１７に示すようなクラブヘッドの軌跡記録用具は、水平押当ネジ２を押し付けることによる水平押当力にてクラブヘッド５に取り付けて固定するので、取付安定性が悪く、多様な形状のクラブヘッド５に対して保持具本体１がぐらついて位置決めが不正確となってしまうという問題があった。
【０００５】
一方、図１８に示すようなクラブヘッドの軌跡記録用具は、両面テープなどの接着材９を用いて保持具本体８をクラブヘッド７のフェースに接着力で取り付けるので、保持具本体８の脱着を繰り返しているうちに接着材にゴミや手垢などが付着して粘着力が弱まってしまい取付安定性が悪くなってしまうという問題があった。
そこでこの発明の目的は、クラブヘッドに取付安定性のよいクラブヘッドの軌跡記録用具を提供することにある。
【課題を解決するための手段】
【０００６】
このため請求項１に記載の発明は、クラブヘッドのフェースに取り付けてゴルフクラブのスイング軌跡を記録媒体に記録するクラブヘッドの軌跡記録用具において、
前記フェースを当接させるフェース当接面を有する保持具本体と、
該保持具本体と連結され、前記フェースを前記フェース当接面に押し当てて保持するために前記保持具本体と前記クラブヘッドとの間に押当力を付与する水平押当保持部と、
前記クラブヘッドを下方から支える支持部と、
前記クラブヘッドを前記支持部に押し当てて保持する垂直押当保持部と、
前記クラブヘッドの軌跡を前記記録媒体に記録する記録部とを備えることを特徴とする。
【０００７】
請求項２に記載の発明は、請求項１に記載のクラブヘッドの軌跡記録用具において、前記ゴルフクラブがマレッド型パターであって、
前記水平押当保持部が、
前記クラブヘッドの背面に引掛ける引掛部と、
該引掛部を適切に前記背面に引掛けるために長さ調節をする調節部とを備えることを特徴とする。
【０００８】
請求項３に記載の発明は、請求項２に記載のクラブヘッドの軌跡記録用具において、前記調節部がメカニカルファスナーを備えることを特徴とする。
【０００９】
請求項４に記載の発明は、請求項２に記載のクラブヘッドの軌跡記録用具において、前記調節部が長孔と該長孔にスライド自在にネジ止める調節ネジを備えることを特徴とする。
【００１０】
請求項５に記載の発明は、請求項１に記載のクラブヘッドの軌跡記録用具において、前記ゴルフクラブがピン型パターであって、
前記水平押当保持部が水平押当ネジであることを特徴とする。
【００１１】
請求項６に記載の発明は、請求項１に記載のクラブヘッドの軌跡記録用具において、前記ゴルフクラブがピン型パターであって、
前記水平押当保持部が弾性部材であることを特徴とする。
【００１２】
請求項７に記載の発明は、請求項１ないし６のいずれかに記載のクラブヘッドの軌跡記録用具において、前記垂直押当保持部が垂直押当ネジであることを特徴とする。
【００１３】
請求項８に記載の発明は、請求項７に記載のクラブヘッドの軌跡記録用具において、前記垂直押当ネジを複数備えるとともに、前記支持部が複数の爪からなることを特徴とする。
【００１４】
請求項９に記載の発明は、請求項１ないし６のいずれかに記載のクラブヘッドの軌跡記録用具において、前記垂直押当保持部が弾性部材であることを特徴とする。
【００１５】
請求項１０に記載の発明は、請求項９に記載のクラブヘッドの軌跡記録用具において、前記弾性部材が板バネであることを特徴とする。
【００１６】
請求項１１に記載の発明は、請求項９に記載のクラブヘッドの軌跡記録用具において、前記弾性部材がスポンジであることを特徴とする。
【００１７】
請求項１２に記載の発明は、請求項１ないし１１のいずれかの記載のクラブヘッドの軌跡記録用具において、前記記録部は前記ゴルフクラブのスイング方向に並設された２本のペンであることを特徴とする。
【００１８】
請求項１３に記載の発明は、請求項１２に記載のクラブヘッドの軌跡記録用具において、前記２本のペンはそれぞれが異なるインクを有することを特徴とする。
【発明の効果】
【００１９】
請求項１に記載の発明によれば、クラブヘッドのフェースに取り付けてゴルフクラブのスイング軌跡を記録媒体に記録するクラブヘッドの軌跡記録用具において、フェースを当接させるフェース当接面を有する保持具本体と、その保持具本体と連結され、フェースをフェース当接面に押し当てて保持するために保持具本体とクラブヘッドとの間に押当力を付与する水平押当保持部と、クラブヘッドを下方から支える支持部と、クラブヘッドを支持部に押し当てて保持する垂直押当保持部と、クラブヘッドの軌跡を記録媒体に記録する記録部とを備えるので、クラブヘッドを上下方向及び水平方向から複数個所で支持することを可能とし、老若男女を問わずクラブヘッドに取付安定性のよいクラブヘッドの軌跡記録用具を提供することができるとともに、スペースの少ない場所でも効率よくスイングの練習を確実にすることができる。
【００２０】
請求項２に記載の発明によれば、ゴルフクラブがマレッド型パターであって、水平押当保持部が、クラブヘッドの背面に引掛ける引掛部と、その引掛部を適切に背面に引掛けるために長さ調節をする調節部とを備えるので、調節部を調節することによってマレッド型パターの形状に合わせて適切な保持ができる。
【００２１】
請求項３に記載の発明によれば、調節部がメカニカルファスナーを備えるので、簡単な構成で容易に調節部を調節することができる。
【００２２】
請求項４に記載の発明によれば、調節部が長孔とその長孔にスライド自在にネジ止める調節ネジを備えるので、簡単な構成で確実に調節部を調節・固定することができる。
【００２３】
請求項５に記載の発明によれば、ゴルフクラブがピン型パターであって、水平押当保持部が水平押当ネジであるので、簡単な構成でピン型パターを確実に固定することができる。
【００２４】
請求項６に記載の発明によれば、ゴルフクラブがピン型パターであって、水平押当保持部が弾性部材であるので、操作を要せずにピン型パターを確実に固定することができる。
【００２５】
請求項７に記載の発明によれば、垂直押当保持部が垂直押当ネジであるので、簡単な構成でピン型パターを確実に固定することができる。
【００２６】
請求項８に記載の発明によれば、垂直押当ネジを複数備えるとともに、支持部が複数の爪からなるので、より安定性よくピン型パターを固定することができる。
【００２７】
請求項９に記載の発明によれば、垂直押当保持部が弾性部材であるので、簡単な構成でピン型パターを確実に固定することができる。
【００２８】
請求項１０に記載の発明によれば、弾性部材が板バネであるので、簡単な構成でかつ、操作を要せずにピン型パターを確実に固定することができる。
【００２９】
請求項１１に記載の発明によれば、弾性部材がスポンジであるので、簡単な構成でかつ、操作を要せずにピン型パターを確実に固定することができる。
【００３０】
請求項１２に記載の発明によれば、記録部はゴルフクラブのスイング方向に並設された２本のペンであるので、簡単な構成でスイング中のフェースのブレを知ることができる。
【００３１】
請求項１３に記載の発明によれば、２本のペンはそれぞれが異なるインクを有するので、スイング中のフェースのブレがどちら向きに生じたのかを簡単な構成で知ることができる。
【発明を実施するための最良の形態】
【００３２】
以下図面を参照しつつ、本願発明を実施するための最良の形態について詳述する。
図１（ａ）はこの発明のクラブヘッドの軌跡記録用具の一例をピン型パターに取り付けた状態を示す斜視図、図１（ｂ）は図１（ａ）のＡ矢視断面図、図２は図１のクラブヘッドの軌跡記録用具の部品図である。
クラブヘッドの軌跡記録用具１１は、保持具本体１２、その保持具本体１２に溝を形成してはめ込まれた２つの爪（支持部）１９、保持具本体１２の上部にネジ１７によって取り付けられた連結板１３、連結板１３の天板１３Ｂに形成された覗き孔１８および締め付け可能に取り付けられた２つの垂直押当ネジ（垂直押当保持部）１５Ａ，１５Ｂならびに筆記具としてのボールペン２０を保持するボールペンホルダ（記録部）１４、連結板１３の側板１３Ａに締め付け可能に取り付けられた水平押当ネジ（水平押当保持部）１６などから構成されている。
【００３３】
保持具本体１２は、樹脂製で肉厚１ｃｍ程度に等厚に形成されている。ピン型パターのフェースＰＦとは当接面１２Ｃにて当接するが、この当接面１２Ｃには予め溝部を形成して、その溝部に金属製の爪部１９を接着材を介して取り付ける。溝部は、爪部１９を取り付けたときに当接面１２Ｃがフラットとなる深さに形成される。なお、保持具本体１２の上面には下方に向かって２つの取付ネジ孔１２Ａと、記録部保持孔１２Ｂとが貫通されずに形成されている。取付ネジ孔１２Ａにはネジ１７の雄ネジに係合する雌ネジが形成されている。また、記録部保持孔１２Ｂは大径部と小径部とからなり、大径部には、後に詳述するボールペンホルダ１４の雄ネジに係合する雌ネジが形成されており、一方、小径部は下面に貫通されている。なお、保持具本体１２は金属製であってもよい。また、保持具本体１２の肉厚は後述するボールペンホルダ１４が挿入できる程度であればよい。
【００３４】
連結板１３は、略凸状の金属板で、先端を略直角に折り曲げて天板１３Ｂおよび側板１３Ａを構成している。天板１３Ｂの端部には、ネジ（雄ネジ）１７を係合しうるネジ孔（雌ネジ）１３Ｂ１が２箇所、垂直押当ネジ（雄ネジ）１５Ａ，１５Ｂを係合しうるネジ孔（雌ネジ）１３Ｂ２が２箇所形成されている。また、天板１３Ｂの中央部には、クラブヘッドの軌跡記録用具１１をピン型パターＰＰに取り付ける際に位置決めに用いるためのパター上面覗き孔１８およびボールペンホルダ１４を挿入しうる記録部挿入孔１３Ｂ３が形成されている。
【００３５】
ボールペンホルダ１４は、略円筒状の金属製のホルダ本体１４Ｃの上端の外周に雄ネジを形成してキャップ１４Ａをネジ付ける。また、中央部分にはロックナット１４Ｂを設ける。さらに、中央部分から下部にかけて雄ネジを形成する。この雄ネジは記録部保持孔１２Ｂに形成されている雌ネジに係合するものである。そして、キャップ１４Ａを外してボールペン芯２０を挿入し、ホルダ本体１４の下端の開口からボールペン芯２０を覗かせる。なお、ホルダ本体１４Ｃの小径部には不図示のコイルバネを備え、そのコイルバネの中心にボールペン芯２０を貫通させる。このコイルバネはボールペン芯２０を下方に付勢し、ボールペン芯２０が押圧されたときにホルダ本体１４内に向かって引っ込むように構成されている。なお、連結板１３およびボールペンホルダ１４は金属製に限定されるものではなく、樹脂製などであってもよい。
【００３６】
クラブヘッドの軌跡記録用具１１は、保持具本体１２の取付ネジ孔１２Ａに連結板１３のネジ孔１３Ｂ１を合わせるようにしてネジ１７によって取り付ける。そして、ボールペンホルダ１４を記録部挿入孔１３Ｂ３より記録部保持孔１２Ｂに挿入し、記録部保持孔１２Ｂの雌ネジにボールペンホルダ１４の雄ネジ１４Ｃ１を係合させてネジ止める。
【００３７】
このように構成されたクラブヘッドの軌跡記録用具１１をピン型パターＰＰのヘッドに取り付けるには、まず、クラブヘッドの軌跡記録用具１１の当接面１２Ｃをピン型パターのフェースＰＦに当てながらフェースＰＦの最下部を爪１９Ａに引掛ける。
次に、水平押当ネジ１６をピン型パターの背面ＰＢにネジつけて押し当てる。さらに、垂直押当ネジ１５Ａ，１５Ｂをピン型パターの上面ＰＵにネジつけて押し当てる。
すると、ピン型パターＰＰは、水平方向にはクラブヘッドの軌跡記録用具１１の当接面１２Ｃと水平押当ネジ１６との間に、垂直方向にはクラブヘッドの軌跡記録用具１１の爪１９Ａと垂直押当ネジ１５Ａ，１５Ｂとの間にそれぞれ押し当てられた状態で取り付けられる。
このとき、垂直方向には、２つの爪１９Ａと２つの垂直押当ネジ１５Ａ，１５Ｂによって押し当てられた状態で取り付けられるので、従来の技術（例えば前出の特許文献１）に比べて安定性よく、かつ確実に取り付けることができるものである。
【００３８】
図３には、クラブヘッドの軌跡記録用具１１を取り付けられたピン型パターＰＰを用いてパットの練習をする様子を示す。
床面上に記録紙Ｐ（コピー用紙などの白紙で可）を載置し、その上にゴルフボールＧＢを置く。次に、ピン型パターＰＰをテイクバックするとボールペン芯２０によってその軌跡Ｌが記録紙Ｐ上に描かれ、さらにストロークをするとボールペン芯２０によってその軌跡Ｌが記録紙Ｐ上に描かれる。そして、ピン型パターＰＰのフェース１２ＦにてゴルフボールＧＢを打つ。
【００３９】
このとき、プレーヤーは、記録紙Ｐ上に描かれたテイクバック時の軌跡Ｌとストローク時の軌跡Ｌとを見比べることによって、手軽に自分のパットのフォームを改善することができる。また、前述のようにボールペンホルダ１４内には不図示のコイルスプリングが設けられているので、ボールペン芯２０が記録紙Ｐより一定の押圧力を受けたときはボールペン芯２０がボールペンホルダ１４内に向かって引っ込むようになっており、ピン型パターＰＰのヘッドがパット時に鉛直方向に上下するような場合にもボールペン芯２０を傷めることなく使用することができる。
なお、インクを使い果たしたなどでボールペン芯２０を交換するときは、キャップ１４Ａを外してボールペン芯２０を抜き取って、新しいボールペン芯２０を挿入してキャップ１４を締める。このボールペン芯２０には市販されている替芯を用いるので汎用性があってよい。
【００４０】
以上詳述したように、この発明のクラブヘッドの軌跡記録用具１１は、ピン型パターＰＰのクラブヘッドのフェースＰＦに取り付けてゴルフクラブのスイング軌跡を記録紙（記録媒体）Ｐに記録するものであり、フェースＰＦを当接させるフェース当接面１２Ｃを有する保持具本体１２と、その保持具本体１２と連結され、フェースＰＦをフェース当接面１２Ｃに押し当てて保持するために保持具本体１２とピン型パターＰＰのクラブヘッドとの間に押当力を付与する水平押当ネジ（水平押当保持部）１６と、クラブヘッドを下方から支える２つの爪（支持部）１９Ａと、クラブヘッドを爪１９Ａに押し当てて保持する垂直押当ネジ（垂直押当保持部）１５Ａ，１５Ｂと、クラブヘッドの軌跡Ｌを記録紙Ｐに記録するボールペンホルダ（記録部）１４とを備える。
【００４１】
図４，５には、この発明のクラブヘッドの軌跡記録用具の別の例を示す。
この例のクラブヘッドの軌跡記録用具３１は、保持具本体１２、その保持具本体１２に溝を形成してはめ込まれた２つの爪（支持部）１９、保持具本体１２の上部にネジ１７によって取り付けられた連結板３３、連結板３３の天板３３Ｂに形成された覗き孔兼掛止孔３８および筆記具としてのボールペン２０を保持するボールペンホルダ（記録部）１４、連結板３３の側板３３Ａに締め付け可能に取り付けられた水平押当ネジ（水平押当保持部）１６、天板３３Ａに取り付ける上部板スプリング（垂直押当保持部）３５Ａ，３５Ｂなどから構成されている。
【００４２】
保持具本体１２およびボールペンホルダ１４の構成については、上述の例と同様であるので説明を省略する。
【００４３】
連結板３３は、略凸状の金属板で、先端を略直角に折り曲げて天板３３Ｂおよび側板３３Ａを構成している。天板３３Ｂの端部には、ネジ１７を係合しうるネジ孔（雌ネジ）３３Ｂ１，３３Ｂ２がそれぞれ２箇所ずつ形成されている。また、天板３３Ｂの中央部には、クラブヘッドの軌跡記録用具３１をピン型パターＰＰに取り付ける際に位置決めに用いるための覗き孔兼掛止孔３８およびボールペンホルダ１４を挿入しうる記録部挿入孔３３Ｂ３が形成されている。
【００４４】
上部板スプリング３５Ａは金属板を折り曲げて弾性力を有し、ネジ孔（ネジ山なし）３５Ａ２の形成された天板３５Ａ１、押当板３５Ａ３などを備える。また、上部板スプリング３５Ｂは上部板スプリング３５Ａと同一材料同一形状で、ネジ孔３５Ｂ２の形成された天板３５Ｂ１、押当板３５Ｂ３などを備える。なお、上部板スプリング３５Ａの天板３５Ａ１，ネジ孔３５Ａ２，押当板３５Ａ３は一体のものである。
【００４５】
クラブヘッドの軌跡記録用具３１は、保持具本体１２の取付ネジ孔１２Ａに連結板３３のネジ孔３３Ｂ１を合わせるようにしてネジ１７によって取り付ける。また、覗き孔兼掛止孔３８に上部板スプリング３５Ａの天板３５Ａ１を下方から通してネジ孔３５Ａ２とネジ孔３３Ｂ２とを合わせるようにして天板３３Ｂ上に載置し、ネジ１７にてネジ止める。同様に、覗き孔兼掛止孔３８に上部板スプリング３５Ｂの天板３５Ｂ１を下方から通してネジ孔３５Ｂ２とネジ孔３３Ｂ２とを合わせるようにして天板３３Ｂ上に載置し、ネジ１７にてネジ止める。
そして、ボールペンホルダ１４を記録部挿入孔３３Ｂ３より記録部保持孔１２Ｂに挿入し、記録部保持孔１２Ｂの雌ネジにボールペンホルダ１４の雄ネジ１４Ｃ１を係合させてネジ止める。
【００４６】
このように構成されたクラブヘッドの軌跡記録用具３１にピン型パターＰＰのヘッドを取り付けるには、ピン型パターの上面ＰＵを上部板スプリング３５Ａ，３５Ｂに下方より押し当てる。さらに、ピン型パターの下面を爪１９Ａに引掛ける。そして、水平押当ネジ１６をピン型パターのフェースＰＦにネジつける。
すると、ピン型パターＰＰは、水平方向にはクラブヘッドの軌跡記録用具３１の当接面１２Ｃと水平押当ネジ１６との間に、垂直方向にはクラブヘッドの軌跡記録用具３１の爪１９Ａと上部板スプリング３５Ａ，３５Ｂとの間にそれぞれ押し当てられた状態で取り付けられる。
【００４７】
この例では、クラブヘッドの軌跡記録用具３１をピン型パターＰＰのクラブヘッドに取り付ける際に、垂直方向の押当力を上部板スプリング３５Ａ，３５Ｂの反発力によって発生させているので、ネジなどによって押当力を発生させる必要がなく、クラブヘッドの軌跡記録用具３１をピン型パターＰＰのクラブヘッドに容易に取り付けることができる。
なお、パットの練習方法は、上述の例と同様であるので説明を省略する。
【００４８】
図６，７には、この発明のクラブヘッドの軌跡記録用具のさらに別の例を示す。
この例のクラブヘッドの軌跡記録用具４１は、保持具本体１２、その保持具本体１２に溝を形成してはめ込まれた２つの爪（支持部）１９、保持具本体１２の上部にネジ１７によって取り付けられた連結板４３および後部板スプリング（水平押当保持部）４４、筆記具としてのボールペン２０を保持するボールペンホルダ（記録部）１４、連結板４３に取り付けられた上部板スプリング（垂直押当保持部）３５Ａ，３５Ｂなどから構成されている。
【００４９】
保持具本体１２、ボールペンホルダ１４、上部板スプリング３５Ａ，３５Ｂの構成については、上述の例と同様であるので説明を省略する。
【００５０】
連結板４３は、略矩形の金属板で、端部には、ネジ（雄ネジ）１７を係合しうるネジ孔（雌ネジ）４３Ａ，４３Ｂがそれぞれ２箇所ずつ形成されている。また、中央部にはクラブヘッドの軌跡記録用具４１をピン型パターＰＰに取り付ける際に位置決めに用いるための覗き孔兼掛止孔４８およびボールペンホルダ１４を挿入しうる記録部挿入孔４３Ｃが形成されている。
【００５１】
後部板スプリング４４は、金属板を直角よりやや内側方向に折り曲げて天板４４Ａおよび押当板４４Ｂを一体に形成する。天板４４Ａは中央部に覗き孔兼掛止孔４８の幅方向とほぼ同一の矩形の切り欠き４４Ａ３を形成するとともに、四隅にネジ孔（雌ネジ）４４Ａ１，４４Ａ２をそれぞれ２つずつ形成する。このネジ孔４４Ａ１，４４Ａ２はネジ１７を係合しうる大きさに形成される。押当板４４Ｂは先端付近を円弧状に内側に曲げた形状に形成する。なお、天板４４Ａ，押当板４４Ｂは一体のものである。
【００５２】
クラブヘッドの軌跡記録用具４１は、取付ネジ孔１２Ａにネジ孔４３Ａを合わせるように連結板４３を重ねさらにその上からネジ孔４３Ａにネジ孔４４Ａ１を合わせるように後部板スプリング４４の天板４４Ａを重ねて、上方よりネジ１７によって取り付ける。
次に、覗き孔兼掛止孔４８に上部板スプリング３５Ａの天板３５Ａ１を下方から通してネジ孔３５Ａ２とネジ孔４４Ａ２とを合わせるようにして天板４４Ａ上に載置し、ネジ１７にてネジ止める。同様に、覗き孔兼掛止孔４８に上部板スプリング３５Ｂの天板３５Ｂ１を下方から通してネジ孔３５Ｂ２とネジ孔４４Ａ２とを合わせるようにして天板４４Ａ上に載置し、ネジ１７にてネジ止める。
そして、ボールペンホルダ１４を記録部挿入孔４３Ｃより記録部保持孔１２Ｂに挿入し、記録部保持孔１２Ｂの雌ネジにボールペンホルダ１４の雄ネジ１４Ｃ１を係合させてネジ止める。
なお、上面１２Ｕ上に後部スプリング４４を載置し、その上に連結板４３を重ね、さらに覗き孔兼掛止孔４８に上部板スプリング３５Ａの天板３５Ａ１を下方から通してネジ孔３５Ａ２とネジ孔４４Ａ２とを合わせるようにして連結板４３上に載置するようにしてもよい。
【００５３】
このように構成されたクラブヘッドの軌跡記録用具４１にピン型パターＰＰのヘッドを取り付けるには、ピン型パターの上面ＰＵを上部板スプリング３５Ａ，３５Ｂに下方より押し当てる。さらに、ピン型パターの下面を爪１９Ａに引掛ける。このとき、後部板スプリング４４の押当板４４Ｂを外側に広げるようにしてピン型パターの下面を爪１９Ａに引掛ける。
これによって、ピン型パターＰＰは、水平方向にはクラブヘッドの軌跡記録用具４１の当接面１２Ｃと押当板４４Ｂとの間に、垂直方向にはクラブヘッドの軌跡記録用具４１の爪１９Ａと上部板スプリング３５Ａ，３５Ｂとの間にそれぞれ押し当てられた状態で取り付けられる。
【００５４】
この例では、クラブヘッドの軌跡記録用具４１をピン型パターＰＰのクラブヘッドに取り付ける際に、垂直方向の押当力を上部板スプリング３５Ａ，３５Ｂの反発力によって発生させるとともに、水平方向の押当力を後部板スプリング４４の反発力によって発生させているので、ネジなどによって押当力を発生させる必要がなく、クラブヘッドの軌跡記録用具４１をピン型パターＰＰのクラブヘッドに容易に取り付けることができる。
なお、パットの練習方法は、上述の例と同様であるので説明を省略する。
【００５５】
すなわち、この例のクラブヘッドの軌跡記録用具４１は、ゴルフクラブがピン型パターＰＰであって、水平押当保持部としての後部板スプリング４４が板バネ（弾性部材）である。また、垂直押当保持部としての上部板スプリング３５Ａ，３５Ｂが板バネ（弾性部材）である。
【００５６】
図８，９には、この発明のクラブヘッドの軌跡記録用具のさらに別の例を示す。
この例のクラブヘッドの軌跡記録用具５１は、保持具本体１２、その保持具本体１２に溝を形成してはめ込まれた２つの爪（支持部）１９、保持具本体１２の上部にネジ１７によって取り付けられた連結板５３および薄板スプリング５４、筆記具としてのボールペン２０を保持するボールペンホルダ（記録部）１４などから構成されている。
【００５７】
保持具本体１２、ボールペンホルダ１４の構成については、上述の例と同様であるので説明を省略する。
【００５８】
連結板５３は、略矩形の金属板の両側部に矩形の切り欠き５３Ｄを形成して略エ字状に形成され、端部にはネジ（雄ネジ）１７を係合しうるネジ孔（雌ネジ）５３Ａ，５３Ｂがそれぞれ２箇所ずつ形成されている。また、中央部にはクラブヘッドの軌跡記録用具５１をピン型パターＰＰに取り付ける際に位置決めに用いるための覗き孔５３Ｅおよびボールペンホルダ１４を挿入しうる記録部挿入孔５３Ｃが形成されている。
【００５９】
薄板スプリング５４は、金属板を直角よりやや内側方向に折り曲げて中央に天板５４Ａを形成し、両側にそれぞれ上部板スプリング（垂直押当保持部）５４Ｃおよび後部板スプリング（水平押当保持部）５４Ｂを一体に形成する。
上部板スプリング５４Ｃは、天板５４Ａに、覗き孔５３Ｅの形成された連結部５４の中央部と同じか広めの幅を有する切り欠き５４Ｄを形成し、その切り欠き５４Ｄの両側として形成される。上部スプリング５４Ｃの先端付近は円弧状に折り曲げて当接部を形成され、根元付近は天板５４Ａに対して鈍角に折り曲げて形成される。また、天板５４Ａの両側にはそれぞれネジ孔５４Ａ１を形成する。このネジ孔５４Ａ１はネジ１７を挿入しうる大きさに形成される。
後部板スプリング５４Ｂは、天板５４Ａに対して鋭角に折り曲げて形成され、先端付近は円弧状に折り曲げて当接部を形成する。
【００６０】
クラブヘッドの軌跡記録用具５１は、取付ネジ孔１２Ａにネジ孔５３Ａを合わせるように連結板５３を重ねて、上方よりネジ１７によって取り付ける。また、ネジ孔５３Ｂにネジ孔５４Ａ１を合わせるように連結板５３に薄板スプリング５４を重ねて、上方よりネジ１７によって取り付ける。
そして、ボールペンホルダ１４を記録部挿入孔５３Ｃより記録部保持孔１２Ｂに挿入し、記録部保持孔１２Ｂの雌ネジにボールペンホルダ１４の雄ネジ１４Ｃ１を係合させてネジ止める。
【００６１】
このように構成されたクラブヘッドの軌跡記録用具５１にピン型パターＰＰのヘッドを取り付けるには、図１０に示すように、後部板スプリング５４Ｂを外側に押し広げながらピン型パターの上面ＰＵを上部板スプリング５４Ｃに下方より押し当てる。さらに、ピン型パターの下面を爪１９Ａに引掛ける。
これによって、ピン型パターＰＰは、水平方向にはクラブヘッドの軌跡記録用具５１の当接面１２Ｃと後部板スプリング５４Ｂの当接部との間に、垂直方向にはクラブヘッドの軌跡記録用具５１の爪１９Ａと上部板スプリング５４Ｃの当接部との間にそれぞれ押し当てられた状態で取り付けられる。
【００６２】
この例では、クラブヘッドの軌跡記録用具５１をピン型パターＰＰのクラブヘッドに取り付ける際に、垂直方向の押当力を上部板スプリング５４Ｃの反発力によって発生させるとともに、水平方向の押当力を後部板スプリング５４Ｂの反発力によって発生させているので、ネジなどによって押当力を発生させる必要がなく、クラブヘッドの軌跡記録用具５１をピン型パターＰＰのクラブヘッドに容易に取り付けることができる。
パットの練習方法は、上述の例と同様であるので説明を省略する。
【００６３】
なお、図１，２において説明した垂直押当ネジ（垂直押当保持部）１５Ａ，１５Ｂに代えて、図１１（ａ），（ｂ）に示すように弾性部材としてスポンジ５８を用いて、ピン型パターの上面ＰＵを押下するようにしてもよい。この場合、連結板６３の天板６３Ｂにはネジ孔６３Ｂ１、記録部挿入孔６３Ｂ３、パター上面覗き孔６８を形成する。そして、側板６３Ａにはネジ孔６３Ａ１を形成し、水平押当ネジ（水平押当保持部）１６をネジつける。
これによって、ピン型パターＰＰは、水平方向にはクラブヘッドの軌跡記録用具６１の当接面１２Ｃと水平押当ネジ１６との間に、垂直方向にはクラブヘッドの軌跡記録用具６１の爪１９Ａとスポンジ５８との間にそれぞれ押し当てられた状態で取り付けられる。なお、スポンジ５８は連結板６３に両面テープなどの接着材などによって取り付ける。
【００６４】
以上、ピン型パターＰＰをクラブヘッドの軌跡記録用具について詳述してきたが、この発明のクラブヘッドの軌跡記録用具は、マレッド型パターに取り付けるようにしてもよい。次に、図面を参照しつつその詳細について説明する。
図１２（ａ），（ｂ）、図１３には、この発明のクラブヘッドの軌跡記録用具のさらに別の例を示す。
この例のクラブヘッドの軌跡記録用具７１は、保持具本体１２、その保持具本体１２に溝を形成してはめ込まれた２つの爪（支持部）１９、保持具本体１２の上部にネジ１７によって取り付けられた連結板７３、筆記具としてのボールペン２０を保持するボールペンホルダ（記録部）１４、連結板７３に取り付けられた上部板スプリング（垂直押当保持部）３５Ａ，３５Ｂ、および水平押当保持部としてのベルト７５，メカニカルファスナー（調節部）７６，引掛部７７などから構成されている。
【００６５】
保持具本体１２、ボールペンホルダ１４、上部板スプリング３５Ａ，３５Ｂの構成については、上述の例と同様であるので説明を省略する。
【００６６】
連結板７３は、略矩形の金属板で、端部には、ネジ１７を係合しうるネジ孔７３Ａ，７３Ｂがそれぞれ２箇所ずつ形成されている。また、中央部にはクラブヘッドの軌跡記録用具７１をマレッド型パターＭＰに取り付ける際に位置決めに用いるための覗き孔兼掛止孔７８およびボールペンホルダ１４を挿入しうる記録部挿入孔７３Ｃが形成されている。
【００６７】
ベルト７５は、布製または合成繊維で形成され、一端にメカニカルファスナーのオス材（調節部）７６Ａを取り付けるとともに、他端を覗き孔兼掛止孔７８に掛け回し、先端を縫い付けて連結板７３に取り付ける。
引掛部７７は、先端がかぎ状に形成された矩形の金属片でその上面には両面テープなどによってメカニカルファスナーのメス材（調節部）７６Ｂを取り付ける。
【００６８】
クラブヘッドの軌跡記録用具７１は、取付ネジ孔１２Ａにネジ孔７３Ａを合わせるように連結板７３を重ねて、上方よりネジ１７によって取り付ける。次に、覗き孔兼掛止孔７８に上部板スプリング３５Ａの天板３５Ａ１を下方から通してネジ孔３５Ａ２とネジ孔７３Ｂとを合わせるようにして連結板７３上に載置し、ネジ１７にてネジ止める。同様に、覗き孔兼掛止孔７８に上部板スプリング３５Ｂの天板３５Ｂ１を下方から通してネジ孔３５Ｂ２とネジ孔７３Ｂとを合わせるようにして連結板７３上に載置し、ネジ１７にてネジ止める。
そして、ボールペンホルダ１４を記録部挿入孔７３Ｃより記録部保持孔１２Ｂに挿入し、記録部保持孔１２Ｂの雌ネジにボールペンホルダ１４の雄ネジ１４Ｃ１を係合させてネジ止める。
【００６９】
このように構成されたクラブヘッドの軌跡記録用具７１にマレッド型パターＭＰのヘッドを取り付けるには、マレッド型パターの上面ＭＵを上部板スプリング３５Ａ，３５Ｂに下方より押し当てながら、マレッド型パターの下面を爪１９Ａに引掛ける。
次に、引掛部７７の先端をマレッド型パターの背面ＭＢに引掛けるとともに、ベルト７５を引っ張ってメカニカルファスナーのオス材７６Ａを引掛部７７のメス材７６Ｂに係合させる。これによって、ベルト７５、メカニカルファスナー７６を介して引掛部７７が連結板７３と連結され、その張力によって引掛部７７がマレッド型パターの背面ＭＢを引っ張って保持することができる。
すなわち、マレッド型パターＭＰは、水平方向にはクラブヘッドの軌跡記録用具７１の当接面１２Ｃと引掛部７７との間に、垂直方向にはクラブヘッドの軌跡記録用具７１の爪１９Ａと上部板スプリング３５Ａ，３５Ｂとの間にそれぞれ押し当てられた状態で取り付けられる。
【００７０】
この例では、クラブヘッドの軌跡記録用具７１をマレッド型パターＭＰのクラブヘッドに取り付ける際に、垂直方向の押当力を上部板スプリング３５Ａ，３５Ｂの反発力によって発生させているので、ネジなどによって垂直方向の押当力を発生させる必要がなく、クラブヘッドの軌跡記録用具７１をマレッド型パターＭＰのクラブヘッドに容易に取り付けることができる。また、メカニカルファスナー７６によって長手方向に調節自在であるので、クラブヘッドの形状の異なるさまざまなマレッド型パターＭＰに対して適用することができる。
すなわち、この例のクラブヘッドの軌跡記録用具７１は、ゴルフクラブがマレッド型パターＭＰであって、水平押当保持部が、クラブヘッドの背面に引掛ける引掛部７７と、その引掛部７７を適切に背面ＭＢに引掛けるために長さ調節をするメカニカルファスナー（調節部）７６とを備えるものである。
なお、パットの練習方法は、上述の例と同様であるので説明を省略する。
【００７１】
図１４，１５には、この発明のクラブヘッドの軌跡記録用具のさらに別の例を示す。
この例のクラブヘッドの軌跡記録用具８１は、保持具本体１２、その保持具本体１２に溝を形成してはめ込まれた２つの爪（支持部）１９、保持具本体１２の上部にネジ１７によって取り付けられた連結板８３、筆記具としてのボールペン２０を保持するボールペンホルダ（記録部）１４、連結板８３に取り付けられた上部板スプリング（垂直押当保持部）３５Ａ，３５Ｂ、および水平押当保持部としての調節部８６，引掛部８７などから構成されている。
【００７２】
保持具本体１２、ボールペンホルダ１４、上部板スプリング３５Ａ，３５Ｂの構成については、上述の例と同様であるので説明を省略する。
【００７３】
連結板８３は、略矩形の金属板に凸部８４を有し、端部には、ネジ１７を係合しうるネジ孔８３Ａ，８３Ｂがそれぞれ２箇所ずつ形成されている。また、中央部にはクラブヘッドの軌跡記録用具８１をマレッド型パターＭＰに取り付ける際に位置決めに用いるための覗き孔８８およびボールペンホルダ１４を挿入しうる記録部挿入孔８３Ｃが形成されている。
【００７４】
凸部８４は連結板８３と一体に形成されており、ネジ８６Ａに係合する２つのネジ孔（雌ネジ）８４Ａが直列に形成されている。
引掛部８７は、矩形の金属片の一端をかぎ状に形成するとともに、他方には長孔８６Ｂを形成する。
【００７５】
クラブヘッドの軌跡記録用具８１は、取付ネジ孔１２Ａにネジ孔８３Ａを合わせるように連結板８３を重ねて、上方よりネジ１７によって取り付ける。次に、ネジ孔３５Ａ２とネジ孔８３Ｂとを合わせるようにして上部板スプリング３５Ａの天板３５Ａ１を連結板８３上に載置し、ネジ１７にてネジ止める。同様に、ネジ孔３５Ａ２とネジ孔８３Ｂとを合わせるようにして上部板スプリング３５Ａの天板３５Ａ１を連結板８３上に載置し、ネジ１７にてネジ止める。
そして、ボールペンホルダ１４を記録部挿入孔８３Ｃより記録部保持孔１２Ｂに挿入し、記録部保持孔１２Ｂの雌ネジにボールペンホルダ１４の雄ネジ１４Ｃ１を係合させてネジ止める。
【００７６】
このように構成されたクラブヘッドの軌跡記録用具８１にマレッド型パターＭＰのヘッドを取り付けるには、マレッド型パターの上面ＭＵを上部板スプリング３５Ａ，３５Ｂに下方より押し当てながら、マレッド型パターの下面を爪１９Ａに引掛ける。
次に、引掛部８７の先端をマレッド型パターの背面ＭＢに引掛けるとともに、マレッド型パターＭＰのヘッドを当接面１２Ｃに押し当てるようにしながら長孔８６Ｂの適当な位置でネジ８６Ａを締め付ける。
すなわち、マレッド型パターＭＰは、水平方向にはクラブヘッドの軌跡記録用具８１の当接面１２Ｃと引掛部８７との間に、垂直方向にはクラブヘッドの軌跡記録用具８１の爪１９Ａと上部板スプリング３５Ａ，３５Ｂとの間にそれぞれ押し当てられた状態で取り付けられる。
すなわち、この例のクラブヘッドの軌跡記録用具８１は、調節部８６が長孔８６Ｂとその長孔８６Ｂにスライド自在にネジ止める調節ネジ８６Ａを備えるものである。
なお、パットの練習方法は、上述の例と同様であるので説明を省略する。
【００７７】
以上詳述したこの発明のクラブヘッドの軌跡記録用具は、図１６（ａ），（ｂ）に示すように構成してもよい。
すなわち、保持具本体１２、上部板スプリング３５Ａ，３５Ｂ、ボールペンホルダ１４と同一の構成のボールペンホルダ１４Ｘ，１４Ｙと、ボールペンホルダ１４Ｘ，１４Ｙを直列に保持する連結板９３とを備える。このとき、ボールペンホルダ１４Ｘとボールペンホルダ１４Ｙに挿入するボールペン芯２０Ａ，２０Ｂは異なるインクを用いるものとする。
【００７８】
このように構成すると、パットの練習の際に、ストロークの方向に対してフェース１２Ｆが傾いた状態でゴルフボールＧＢを打つとボールペン芯２０Ａ，２０Ｂのいずれかのインクの軌跡Ｌ１，Ｌ２が記録紙Ｐに２本記される。すなわち軌跡Ｌ１，Ｌ２が１本には重ならない。したがって、練習者はボールペン芯２０Ａ，２０Ｂの２色のインクの軌跡Ｌ１，Ｌ２が１本に重なっているかどうかを確認することによって、安定したパットのフォームを身に着けることができる。
これまで説明したクラブヘッドの軌跡記録用具１１，３１，４１，５１，６１，７１，８１では、ボールペン芯２０を１本だけ備えているので、パットのスイング記録は１本の軌跡Ｌとなる。これでは、パターのフェースが正面を向いていたか、開いていたか、閉じていたかを判断することが困難である。したがって、この例のようにボールペン芯２０Ａ，２０Ｂを２本備えることによってこれを解決するものである。
すなわちこの例のクラブヘッドの軌跡記録用具９１は、記録部がゴルフクラブのスイング方向に並設された２本のボールペン芯２０Ａ，２０Ｂである。また、２本のボールペン芯２０Ａ，２０Ｂはそれぞれが異なるインクを有するものである。とくに、ボールペン芯２０Ａ，２０Ｂのうち、一方を赤、一方を黒とすると識別しやすい。
【図面の簡単な説明】
【００７９】
【図１】この発明のクラブヘッドの軌跡記録用具の一例の（ａ）は斜視図、（ｂ）はＡ矢視断面図である。
【図２】図１のクラブヘッドの軌跡記録用具の部品図である。
【図３】図１のクラブヘッドの軌跡記録用具をピン型パターに取り付けてパットの練習をしている状態を示す図である。
【図４】この発明のクラブヘッドの軌跡記録用具の別の例を示す斜視図である。
【図５】図４のクラブヘッドの軌跡記録用具の部品図である。
【図６】この発明のクラブヘッドの軌跡記録用具のさらに別の例を示す斜視図である。
【図７】図６のクラブヘッドの軌跡記録用具の部品図である。
【図８】この発明のクラブヘッドの軌跡記録用具のさらに別の例を示す斜視図である。
【図９】図８のクラブヘッドの軌跡記録用具の部品図である。
【図１０】（ａ），（ｂ）は、図８，９のクラブヘッドの軌跡記録用具にピン型パターを取り付ける手順を説明するための図である。
【図１１】この発明のクラブヘッドの軌跡記録用具のさらに別の例を示す（ａ）は断面図、（ｂ）はその要部斜視図である。
【図１２】この発明のクラブヘッドの軌跡記録用具をマレッド型パターに取り付けた例を示す（ａ）は斜視図、（ｂ）は（ａ）のＢ矢視断面図である。
【図１３】図１２のクラブヘッドの軌跡記録用具の部品図である。
【図１４】図１２のクラブヘッドの軌跡記録用具の変形例の斜視図である。
【図１５】図１４のクラブヘッドの軌跡記録用具の部品図である。
【図１６】この発明のクラブヘッドの軌跡記録用具のさらに別の例を示す（ａ）は断面図、（ｂ）は使用時の斜視図である。
【図１７】従来のクラブヘッドの軌跡記録用具の一例の断面図である。
【図１８】従来のクラブヘッドの軌跡記録用具の別の例の斜視図である。
【符号の説明】
【００８０】
１１，３１，４１，５１，６１，７１，８１，９１    クラブヘッドの軌跡記録用具
１２    保持具本体
１２Ａ    取付ネジ孔
１２Ｂ    記録部保持孔
１２Ｃ    当接面
１２Ｆ    フェース
１２Ｕ    上面
１３，３３，４３，５３，６３，７３，８３，９３    連結板
１３Ａ，３３Ａ    側板
１３Ａ１，１３Ｂ１，１３Ｂ２，３３Ｂ１    ネジ孔
１３Ｂ，３３Ｂ    天板
１３Ｂ３，３３Ｂ３，４３Ｃ，５３Ｃ，７３Ｃ，８３Ｃ    記録部挿入孔
１４，１４Ｘ，１４Ｙ    ボールペンホルダ（記録部）
１４Ａ    キャップ
１４Ｂ    ロックナット
１４Ｃ    ホルダ本体
１４Ｃ１    雄ネジ
１５Ａ，１５Ｂ    垂直押当ネジ（垂直押当保持部）
１６    水平押当ネジ（水平押当保持部）
１７    ネジ
１８，５３Ｅ，８８    覗き孔
１９    爪部
１９Ａ    爪（支持部）
２０，２０Ａ，２０Ｂ    ボールペン芯
３８，４８，７８    覗き孔兼掛止孔
３５Ａ，３５Ｂ，５４Ｃ    上部板スプリング（垂直押当保持部：弾性部材）
３５Ａ１，３５Ｂ１    上板
３５Ａ２，３５Ｂ２，４３Ａ，４３Ｂ，４４Ａ１，４４Ａ２，５４Ａ１，５３ａ，５３Ｂ，７３Ａ，７３Ｂ，８３Ａ，８３Ｂ，８４Ａ  ネジ孔
３５Ａ３，３５Ｂ３，４４Ｂ    押当板
４４，５４Ｂ    後部板スプリング（水平押当保持部：弾性部材）
４４Ａ，５４Ａ    天板
４４Ａ３，５３Ｄ，５４Ｄ    切り欠き
５４    薄板スプリング（弾性部材）
５８    スポンジ（弾性部材）
７５    ベルト
７６    メカニカルファスナー（調節部）
７６Ａ    オス材（調節部）
７６Ｂ    メス材（調節部）
７７，８７    引掛部
８４    凸部
８６    調節部
８６Ａ    ネジ
８６Ｂ    長孔
Ｌ，Ｌ１，Ｌ２    軌跡
ＭＰ    マレッド型パター
ＭＦ    マレッド型パターのフェース
ＭＢ    マレッド型パターの背面
ＭＵ    マレッド型パターの上面
Ｐ    記録紙（記録媒体）
ＰＰ    ピン型パター
ＰＦ    ピン型パターのフェース
ＰＢ    ピン型パターの背面
ＰＵ    ピン型パターの上面
【図１】
2006204456.tif 000003
【図２】
2006204456.tif 000004
【図３】
2006204456.tif 000005
【図４】
2006204456.tif 000006
【図５】
2006204456.tif 000007
【図６】
2006204456.tif 000008
【図７】
2006204456.tif 000009
【図８】
2006204456.tif 000010
【図９】
2006204456.tif 000011
【図１０】
2006204456.tif 000012
【図１１】
2006204456.tif 000013
【図１２】
2006204456.tif 000014
【図１３】
2006204456.tif 000015
【図１４】
2006204456.tif 000016
【図１５】
2006204456.tif 000017
【図１６】
2006204456.tif 000018
【図１７】
2006204456.tif 000019
【図１８】
2006204456.tif 000020